(57)【特許請求の範囲】
【請求項１】
操作者が置数に金額を入力して金種キーを押下する金額入力と、前記操作者が置数に現金の枚数を入力して金種キーを押下する枚数入力のいずれかにより入出金処理を行う現金処理装置において、
入力された置数の大きさと金種の関係から入力方法が金額入力か枚数入力かを判断して、その判断により得られた入力方法を記憶手段に記憶し、
同一操作者が連続して現金処理装置を使用する場合、前記記憶手段に記憶した入力方法により処理を実行することを特徴とする現金処理装置。
【請求項２】
請求項１において、
操作者が置数を入力した後で、入力方法の変更指示が入力された場合、現在記憶されている入力方法と別の方法を記憶させることを特徴とする現金処理装置。
【発明の詳細な説明】
【０００１】
【発明の属する技術分野】
本発明は、金融機関に設置されている現金処理装置において、現金の入力設定に関する技術である。
【０００２】
【従来の技術】
まず、現金処理装置の構成について図９を用いて説明する。
図９は現金処理装置の外観図である。
図９に示すように、現金処理装置は紙幣入出金機１、施封保管支払機２、硬貨支払機３、硬貨入金機４、棒金支払機５、操作卓６から構成されている。
【０００３】
紙幣入出金機１は、紙幣の入金、出金処理を行うものであり、施封保管支払機２は、紙テープなどで結束された一定枚数の紙幣を必要に応じて支払うものである。
硬貨支払機３は、硬貨を支払うためのものであり、硬貨入金機４は、硬貨を入金するためのものである。
【０００４】
棒金支払機５は、ビニールで棒状に包装された一定枚数の硬貨を必要に応じて支払うものである。
操作卓６は、表示パネルとキーボードを有しており、表示パネルは現金処理装置の操作表示等を表示し、キーボードは操作者が入出金処理に必要な情報を入力する際に用いられる。
【０００５】
この構成において、オペレータ（以下、操作者とする。）は、操作卓６により現金の入出金に必要な操作を行い、紙幣入出金機１、施封保管支払機２、硬貨支払機３、硬貨入金機４、棒金支払機５により入金、出金処理を行う。
従来の現金処理装置における現金の入力方法には、「枚数入力」と「金額入力」があり、各現金処理装置はどちらか一方の入力方法を採用している。
【０００６】
現金入力は、操作者が置数と金種を入力することによって行われるが、前記置数を枚数として処理するのが「枚数入力」であり、金額として処理するのが「金額入力」である。
例えば、金額５万円を入力するとき、金額入力の場合は、置数が「５００００」、金種が「万円」である。また、枚数入力の場合は、置数が「５」、金種が「万円」である。
【０００７】
次に、従来の現金処理装置の作用について図７、図８を用いて説明する。
図７は従来の入出金処理を示すフローチャートである。
図８は図７における置数の解析処理を示すフローチャートである。
まず、図７において、操作者が操作卓６から置数を入力する（Ｓ７０１）。
操作者が操作卓６にある金種キーを押下すると（Ｓ７０２）、図８に示す置数の解析処理が行われる（Ｓ７０３）。
【０００８】
操作者が金種キーを押下しなかった場合は、操作者が押下したキーに従って、訂正、中断処理が行われる（Ｓ７０６）。
置数の解析処理では、まず、置数が０か否かが判断される（Ｓ８０１）。
置数が０の場合、入力は無効とされる（Ｓ８０２）。置数が０でない場合、現金処理装置の設定が金額入力であるか否かが判断される（Ｓ８０３）。金額入力設定でない場合、枚数入力設定と判断され、枚数入力オーバーフローチェックが行われる（Ｓ８０４）。
【０００９】
枚数入力オーバーフローチェックでは、入力金額が１回の取扱い限度額を超えている場合や、出金処理において現金処理装置に保持している金額より入力金額が大きい場合に入力無効と判断され、入力金額が１回の取扱い限度額を超えていない場合や、出金処理において現金処理装置に保持している金額より入力金額が小さい場合には入力有効と判断される。
【００１０】
上述した金額入力設定か否かの判断（Ｓ８０３）において、現金処理装置が金額入力に設定してある場合、置数が入力金種の金額（以下、金種単価とする。）以上か否かが判断される（Ｓ８０５）。
置数が金種単価以上でない場合、入力は無効とされる。置数が金種単価以上である場合、さらに置数が金種単価の整数倍か否かが判断される（Ｓ８０６）。
【００１１】
置数が金種単価の整数倍でない場合、入力は無効とされる。置数が金種単価の整数倍である場合、金額入力オーバーフローチェックが行われ（Ｓ８０７）、入力が有効か、無効かの判断がなされる。
置数の解析処理の結果、入力が有効と判断された場合、現金処理装置内に保持されている現金の金額を集計しておく図示しない集計カウンタのデータは更新され（Ｓ７０４）、その更新されたデータが画面に表示される（Ｓ７０５）。
【００１２】
置数の解析処理の結果、入力無効と判断された場合は、ブザー等により警報を発し、置数の入力（Ｓ７０１）画面へ戻る。
【００１３】
【発明が解決しようとする課題】
従来技術では、現金処理装置における現金入力方法は「金額入力」または「枚数入力」のどちらか一方のみを設定してあるため，例えば、「枚数入力」方法に慣れた操作者が「金額入力」に設定してある現金処理装置を使用する際、「枚数入力」をした場合には、入力が無効とされてしまう問題があった。
【００１４】
このため、操作者は現金処理装置の設定に応じて入力方法を変えなければならなかった。
そこで、本発明では、操作者が「金額入力」と「枚数入力」のどちらでも入力しやすい方法で現金を入力できるようにすることを目的とする。
【００１５】
【課題を解決するための手段】
操作者が置数に金額を入力して金種キーを押下する金額入力と、前記操作者が置数に現金の枚数を入力して金種キーを押下する枚数入力のいずれかにより入出金処理を行う現金処理装置において、入力された置数の大きさと金種の関係から入力方法が金額入力か枚数入力かを判断して、その判断により得られた入力方法を記憶手段に記憶し、同一操作者が連続して現金処理装置を使用する場合、前記記憶手段に記憶した入力方法により処理を実行することを特徴とする。
【００１６】
【発明の実施の形態】
以下に図面を参照して本発明の実施の形態を説明する。
（第１の実施の形態）
第１の実施の形態は、操作者が置数を入力した後で、「金額入力」と「枚数入力」を変換できるようにしたものである。
【００１７】
まず、本発明における現金処理装置の構成について説明すると、この現金処理機の外観については図９と同様であり、紙幣や硬貨の支払機等を備えている。
図５は本発明における現金処理装置の制御系を示すブロック図である。
７は判断部であり、操作者が入力した置数が０か否か、置数が入力金種の金額（以下、金種単価とする。）以上か否か、置数が金種単価の整数倍か否かを判断するものである。
【００１８】
８は記憶部であり、操作者が操作を始めてから他の操作者が使用するまでの間、該操作者の現金入力方法を記憶しておくものである。
９は磁気データ読出／書込み部であり、操作者の所有する磁気カードのデータを読み出したり、処理終了後磁気データの書込みを行う。
１０はキー入力部であり、操作者が処理に必要なデータを入力する際に用いるキーボード等である。
【００１９】
１１は表示部であり、現金処理装置の操作を誘導するための表示や操作者が処理に必要な情報を入力するための表示および処理結果を表示をする。
１３は、上述した現金処理装置を構成する各部を制御する制御部である。
次に、上述した構成による第１の実施の形態の作用について図１、図２、図３を用いて説明する。
【００２０】
図１は第１の実施の形態を示すフローチャートである。
図２は本実施の形態における置数の解析処理を示すフローチャートである。
図３は本実施の形態における金額／枚数訂正処理を示すフローチャートである。
まず、各操作者が所有している磁気カードを現金処理装置に挿入すると、制御部１３の指令により前回現金処理装置を使用した操作者の現金入力情報（以下、前回操作者入力情報とする。）が記憶部８から削除される（Ｓ１０１）。
【００２１】
操作者が慣れている現金入力方法でキー入力部１０から置数を入力する（Ｓ１０２）。
操作者が金種キーを押下すると（Ｓ１０３）、制御部１３の指令により図２に示す置数の解析処理が行われる（Ｓ１０４）。
置数の解析処理では、判断部７により置数が０か否かが判断される（Ｓ２０１）。
【００２２】
置数が０の場合、入力は無効とされる（Ｓ２０２）。
置数が０でないとき、同一操作者が現金処理装置を連続して使用しているか否かを判断し、さらに、同一操作者が現金処理装置を連続して使用している場合には、該操作者の入力情報（以下、連続入力情報とする。）を読み出す（Ｓ２０３）。
【００２３】
同一操作者が連続して現金処理装置をしている場合で、連続入力情報が枚数入力のとき、枚数入力オーバーフローチェックが行われ（Ｓ２０４）、エラーがなければ操作者の入力情報を枚数入力として記憶部８に記憶し（Ｓ２０５）、入力有効と判断する。
枚数入力オーバーフローチェック（Ｓ２０４）において、エラーが出た場合、入力は無効と判断される。
【００２４】
操作者が、連続して使用しておらず、連続入力情報が保持されていない場合や連続入力情報が金額入力の場合は、判断部７により置数が金種単価以上か否か判断される（Ｓ２０６）。
置数が金種単価より小さいと判断された場合、枚数入力オーバーフローチェックが行われ（Ｓ２０４）、エラーがなければ操作者の入力情報を枚数入力として記憶部８に記憶し（Ｓ２０５）、入力有効と判断する。
【００２５】
枚数入力オーバーフローチェック（Ｓ２０４）において、エラーが出た場合、入力は無効と判断される。
置数が金種単価以上の場合、置数が金種単価の整数倍か否かが判断部７により判断される（Ｓ２０７）。
置数が金種単価の整数倍でない場合、枚数入力オーバーフローチェックが行われ（Ｓ２０４）、エラーがなければ操作者の入力情報を枚数入力として記憶部８に記憶し（Ｓ２０５）、入力有効と判断する。
【００２６】
枚数入力オーバーフローチェック（Ｓ２０４）において、エラーが出た場合、入力は無効と判断される。
置数が金種単価の整数倍である場合、金額入力オーバーフローチェックが行われ（Ｓ２０８）、エラーがなければ操作者の入力情報を金額入力として記憶部８に記憶し（Ｓ２０９）、入力有効と判断する。
【００２７】
金額入力オーバーフローチェック（Ｓ２０８）において、エラーが出た場合、入力は無効と判断される。
上述した置数の入力（Ｓ１０２）後の操作において、操作者が金種キー、金額／枚数訂正キーを押下しなかった場合は、操作者が押下したキーに従って、訂正、中断処理等が実行される（Ｓ１０８）。
【００２８】
操作者が置数入力後、金種キーを押下せずに金額／枚数訂正キーを押下した場合、図３に示す金額／枚数訂正処理（Ｓ１０９）が実行される。
図３において、記憶部８から連続入力情報が読み出され、該連続入力情報が金額入力か否か判断される（Ｓ３０１）。
連続入力情報が、金額入力の場合、操作者が入力した置数は金額入力から枚数入力に変換され、操作者の入力情報を枚数入力として記憶部８に記憶し、入力は有効となる（Ｓ３０２）。
【００２９】
連続入力情報がない場合、すなわち操作者が連続して現金処理装置を使用していない場合や連続入力情報が枚数入力の場合は、連続入力情報が枚数入力か否か判別される（Ｓ３０３）。
連続入力情報が、枚数入力の場合、操作者が入力した置数は枚数入力から金額入力に変換され、操作者の入力情報を金額入力として記憶部８に記憶し、入力は有効となる（Ｓ３０４）。
【００３０】
連続入力情報が金額入力でも枚数入力でもない場合、すなわち操作者が連続して現金処理装置を使用しておらず、連続入力情報が保持されていない場合、ブザー等の警報を発して入力は無効となり、図１における置数の入力（Ｓ１０２）へ戻る。
図１の置数の解析処理の結果（Ｓ１０５）、入力無効と判断された場合は、ブザー等の警報を発して入力は無効となり（Ｓ１１０）、置数の入力（Ｓ１０２）画面へ戻る。
【００３１】
一方、置数の解析処理および金額／枚数訂正処理の結果（Ｓ１０５）、入力が有効と判断された場合、現金処理装置内に保持されている現金の金額を集計しておく図示しない集計カウンタのデータは更新され（Ｓ１０６）、その更新されたデータが表示部１１に表示される（Ｓ１０７）。
そして、操作者が処理を継続するか否かを選択し（Ｓ１１１）、処理を継続する場合には、再度置数の入力（Ｓ１０２）へ戻って処理を実行する。
【００３２】
以上説明したように、第１の実施の形態では、操作者が置数を入力した後で、「金額入力」と「枚数入力」を変換できるようにしたことにより、操作者は「金額入力」と「枚数入力」のどちらでも入力しやすい方法で現金を入力できる。
（第２の実施の形態）
第２の実施の形態の構成は、第１の実施の形態における構成と基本的に同様であるが、記憶部８は図６に示す操作者別に入力方法を特定する情報を保持している。
【００３３】
第２の実施の形態は、各操作者の入力情報を記憶しておき、該操作者が使用する際に該操作者の入力情報を読出し、その入力方法で処理が実行できるようにしたものである。
なお、操作者が記憶部８に記憶されていない現金入力方法で現金入力を行った場合は、第１の実施の形態で説明した金額／枚数訂正処理を利用して、枚数入力と金額入力を変換することができる。
【００３４】
図４と図６を用いて、第２の実施の形態における作用を説明する。
図４は第２の実施の形態を示すフローチャートであり、図６は操作者別の入力情報である。
まず、各操作者が所有している磁気カードを現金処理装置に挿入すると、制御部１３の指令により磁気データ読出／書込み部９により操作者データが読み出され、記憶部８に保持されている操作者別の入力情報から該操作者の入力情報が読み出される（Ｓ４０１）。
【００３５】
操作者がキー入力部１０から置数を入力し（Ｓ４０２）、金種キーを押下すると（Ｓ４０３）、制御部１３の指令により第１の実施の形態で述べた置数の解析処理が行われる（Ｓ４０４）。
上述した置数の入力（Ｓ４０２）後の操作において、操作者が金種キー、金額／枚数訂正キーを押下しなかった場合は、操作者が押下したキーに従って、訂正、中断処理等が実行される（Ｓ４０８）。
【００３６】
操作者が置数入力後、金種キーを押下せずに金額／枚数訂正キーを押下した場合、第１の実施の形態で述べた金額／枚数訂正処理（Ｓ４０９）が実行される。図４において金種キーを押下し、置数の解析処理（Ｓ４０４）の結果、入力無効と判断された場合は、ブザー等の警報を発して置数の入力（Ｓ４０２）画面へ戻る。
【００３７】
一方、置数の解析処理（Ｓ４０４）および金額／枚数訂正処理（Ｓ４０９）の結果、入力が有効と判断された場合、現金処理装置内に保持されている現金の金額を集計しておく図示しない集計カウンタのデータは更新され（Ｓ４０６）、その更新されたデータが表示部１１に表示される（Ｓ４０７）。
そして、操作者が処理を継続するか否かを選択し（Ｓ４１１）、処理を継続する場合には、再度置数の入力（Ｓ４０２）へ戻って処理を実行する。
【００３８】
以上説明したように、第２の実施の形態では、各操作者の現金入力方法をあらかじめ記憶させておくことにより、操作者が自分の入力しやすい方法で現金処理装置を使用できる。
【００３９】
【発明の効果】
以上説明したように、本発明は、操作者が置数を入力した後で、「金額入力」と「枚数入力」を変換できるようにしたことにより、操作者は「金額入力」と「枚数入力」のどちらでも入力しやすい方法で現金を入力できる。
さらに、各操作者の現金入力方法をあらかじめ記憶させておくことにより、操作者が自分の入力しやすい方法で現金処理装置を使用できる。
【図面の簡単な説明】
【図１】第１の実施の形態を示すフローチャート
【図２】本発明における置数の解析処理を示すフローチャート
【図３】本発明における金額／枚数訂正処理を示すフローチャート
【図４】第２の実施の形態を示すフローチャート
【図５】本発明における現金処理装置の制御系の構成を示すブロック図
【図６】操作者別の入力情報
【図７】従来の入出金処理を示すフローチャート
【図８】図７における置数の解析処理を示すフローチャート
【図９】現金処理装置の外観図
【符号の説明】
１  紙幣入出金機
２  施封保管支払機
３  硬貨支払機
４  硬貨入金機
５  棒金支払機
６  操作卓
７  判断部
８  記憶部
９  磁気データ読出／書き込み部
１０  キー入力部
１１  表示部
１３  制御部
【図１】
0004507375.tif 000002
【図２】
0004507375.tif 000003
【図３】
0004507375.tif 000004
【図４】
0004507375.tif 000005
【図５】
0004507375.tif 000006
【図６】
0004507375.tif 000007
【図７】
0004507375.tif 000008
【図８】
0004507375.tif 000009
【図９】
0004507375.tif 000010